(57)【特許請求の範囲】
【請求項１】
シンクの底部に連通接続されてなる排水トラップ部のシンク側と排水管側とを隔てる隔壁体を、シンクの底部よりも下方に設けた断面略凹条のゴミ収納部の底部にて、シンク側から挿脱自在とした排水トラップ構造において、前記隔壁体は、縦片部と底片部とで略Ｌ字状に形成されてなる把持片部に連設されており、前記排水トラップを、シンクの底部に着脱自在に嵌合されるゴミ収納部と、該ゴミ収納部と連通する排水トラップ部に挿脱自在な前記隔壁体と、で隔壁体を構成するとともに、前記隔壁体はシンクの材質と同じ材質で形成し、或は、異なる着色を施していることを特徴とする排水トラップ構造。
【発明の詳細な説明】
【技術分野】
【０００１】
この発明は，浴槽，流し台，洗面台，手洗い器に連通接続されている排水トラップ構造に係り，特にトラップ内部も洗浄が可能な排水トラップ構造に関する。
【背景技術】
【０００２】
従来のこの種のトラップとしては，ワントラップが主流であったが，シンク下方の収納量を増加させるため，Ｓトラップが多く用いられている。
【０００３】
このようなＳトラップを採用している集合住宅では，定期的に高圧洗浄処理が実施されているが，このような従来のＳトラップが採用されている流し台等の場合，例えば特許文献１に示すように，シンクの下に作業員が潜り込んで作業をしなければならないため，かかる作業が非常に煩雑であった。
【０００４】
このような問題を解決するため，近年では，例えば，特許文献２或は特許文献３に示す構造が提案されている。
【０００５】
特許文献２に示す構造は，網かごを収容可能な本体に排水口を設けると共に開閉可能な洗浄口を備え，前記排水口にはＳ字トラップ，Ｕ字トラップ等のサイホン式トラップを接続すると共に，前記洗浄口と前記トラップの少なくとも封水底よりも下流の一部とをバイパス管で接続したことを特徴とする排水トラップ構造である。
【０００６】
また，特許文献３に示す構造は，槽体の底面に設けられた排水口からの排水を排出する排水トラップ配管であって，該排水トラップ配管を，排水口と，排水口の下流側に設けられた，管体を屈曲させ封水部としたトラップ部と，排水口とトラップ部を連通するトラップ上流管部と，トラップ部と床下配管を連通するトラップ下流管部と，から構成すると共に，排水口に，排水口からトラップ下流管部に連通し，トラップ部を通過しないバイパス管路を設け，更に該バイパス管路を水密的に閉塞する，バイパス管路に着脱自在で排水口から取り出すことが可能なキャップ部材を備えたことを特徴とする排水トラップ配管である。
【０００７】
【特許文献１】特開２００３−０８８８２１号公報
【０００８】
【特許文献２】特開２００４−１９０４７４号公報
【０００９】
【特許文献３】特開２００４−２７０２９０号公報
【発明の開示】
【発明が解決しようとする課題】
【００１０】
しかしながら，上記特許文献２や特許文献３に示すＳトラップ構造では，トラップ部より下流の高圧洗浄は可能であるが，トラップ内部を洗浄することができない，という問題を有していた。
【００１１】
この発明は，かかる現状に鑑み創案されたものであって，その目的とするところは，洗浄作業者が無理な姿勢で作業をしなくとも，簡単に洗浄を行うことができ，しかも，トラップ内部もきれいに洗浄することができる排水トラップ構造を提供しようとするものである。
【課題を解決するための手段】
【００１２】
上記目的を達成するため、請求項１に記載の排水トラップ構造にあっては、シンクの底部に連通接続されてなる排水トラップ部のシンク側と排水管側とを隔てる隔壁体を、シンクの底部よりも下方に設けた断面略凹条のゴミ収納部の底部にて、シンク側から挿脱自在とした排水トラップ構造において、前記隔壁体は、縦片部と底片部とで略Ｌ字状に形成されてなる把持片部に連設されており、前記排水トラップを、シンクの底部に着脱自在に嵌合されるゴミ収納部と、該ゴミ収納部と連通する排水トラップ部に挿脱自在な前記隔壁体と、で隔壁体を構成するとともに、前記隔壁体はシンクの材質と同じ材質で形成し、或は、異なる着色を施していることを特徴とする。
【発明の効果】
【００１５】
以上説明したように，請求項１に記載の発明にあっては，シンクの底部に連通接続されてなる排水トラップ部のシンク側と排水管側とを隔てる隔壁部を，シンク側から挿脱自在としたので，挿着した状態では通常のＳトラップとして機能し，これを取り外した場合には，広く開口した断面Ｕ字状開口となるので，洗浄ノズルをシンク側から楽な姿勢で差し込んで洗浄作業をすることができ，しかも，排水トラップ内部をきれいに洗浄することができるので，衛生的である，という優れた効果を得ることができる。
【００１６】
また、この発明にあっては、隔壁体を、縦片部と底片部とで略Ｌ字状に形成されてなる把持片部に連設して構成したので、把持片部を把持して隔壁体を容易に挿脱することができると共に、把持片部がシンクの内面に突出しないので、シンクでの洗い作業の邪魔とならず、しかも、この把持片部をデザイン化することで、シンクの外観品質を向上させることができる。
【００１７】
さらに、この発明にあっては、排水トラップを、シンクの底部に着脱自在に嵌合されるゴミ収納部と、該ゴミ収納部と連通する排水トラップ部に挿脱自在な前記隔壁体と、で隔壁体を構成したので、隔壁体がシンク内部に突出せず、シンクでの洗い作業の邪魔とならない、という効果が得られる。またさらに、隔壁体をシンクの材質と同じ材質で成形し、或は異なる着色を施しているので、シンクのイメージを適宜変更することができ、従来のシンクと容易に識別することが可能となり、広告宣伝機能も付与することができる。
【発明を実施するための最良の形態】
【００１８】
以下，添付図面に示す発明の実施例に基づき，この発明を詳細に説明する。
【実施例１】
【００１９】
図１は，この発明の実施例１に係る排水トラップが取り付けられたシンクの右側面図を，図２は同シンクの平面図を，図３は同排水トラップの構造を示す一部切欠斜視図を，図４は同排水トラップの断面図を，図５は同排水トラップの半截平面図を，図６は同排水トラップの正面断面図を，図７は同排水トラップの隔壁体の断面図を，図８は図４Ａ−Ａ線断面図である。
【００２０】
即ち，この実施例１に係る排水Ｓトラップ１０は，図１と図２に示すように，その上端部がシンク１の底部２に開設された排水穴３に連通接続され，下流端部には下水管４が連通接続される。
【００２１】
この排水Ｓトラップ１０は，上記排水穴３の１段落とし込まれた段部に嵌合係止されるフランジ部１１を有する断面略凹状のゴミ収納部１２と，このゴミ収納部１２の底部１３に上端が連通する断面略Ｕ字状の排水トラップ部１５と，この排水トラップ部１５をＳ字状に画成する隔壁体１６と，から構成されている。
【００２２】
この隔壁体１６は，ゴミ収納部１２の内周壁面１７に密着する縦片部１８と，ゴミ収納部１２の底部１３に密着する底片部１９と，で略Ｌ字状に形成されてなる把持片部２０と，この把持片部２０から排水トラップ部１５方向に伸びる隔壁部２１と，から構成されている。
【００２３】
そして，上記縦片部１８には把持片２２が突設されており，また，底片部１９には，排水孔２３が開設されている。尚，本実施例１では４個開設されているが，排水孔数は，適宜増減させることができる。また，把持片２２に代えて孔等の適宜の手掛かり部を形成してもよい。
【００２４】
さらに，上記隔壁部２１は，上記したように，隔壁体１６を挿着したときには，断面略Ｕ字状の上記排水トラップ部１５を，図３と図４に示すようにＳ字状に画成する形状に形成されている。
【００２５】
従って，上記隔壁体１６を排水トラップ部１５に挿着した状態では，通常のＳ字型トラップとして機能し，これを取り外した場合には，Ｓ字トラップ部が断面略Ｕ字状に広く開口するので，洗浄ノズルをシンク側から楽な姿勢で差し込んで洗浄作業をすることができ，しかも，排水トラップ部１５の下流は勿論，従来の構造では不可能であった排水トラップ部１５の内部もきれいに洗浄することができるので，衛生的である，という効果が得られる。
【実施例２】
【００３０】
尚、この発明においては、上記隔壁体１６のデザインを、例えば、シンク１の材質と同じ材質で形成し、或は、異なる着色を施すことで、シンクのイメージを適宜変更することができ、従来のシンクと容易に識別することが可能となり、広告宣伝機能も付与することができる。
【図面の簡単な説明】
【００３１】
【図１】この発明の実施例１に係る排水トラップが取り付けられたシンクの右側面図である。
【図２】同シンクの平面図である。
【図３】同排水トラップの構造を示す一部切欠斜視図である。
【図４】同排水トラップの断面図である。
【図５】同排水トラップの半截平面図である。
【図６】同排水トラップの隔壁体の正面断面図である。
【図７】同隔壁体の断面図である。
【図８】図４Ａ−Ａ線断面図である。
【符号の説明】
【００３２】
１  シンク
２  シンク底部
３  シンクの排水穴
４  下水管
１０  排水Ｓトラップ
１２  ゴミ収納部
１３  ゴミ収納部の底部
１５  排水トラップ部
１６  隔壁体
１８  縦片部
１９  底片部
２０  把持片部
２１  隔壁体
２２  把持片
２３  排水孔
【図１】
0004650618.tif 000002
【図２】
0004650618.tif 000003
【図３】
0004650618.tif 000004
【図４】
0004650618.tif 000005
【図５】
0004650618.tif 000006
【図６】
0004650618.tif 000007
【図７】
0004650618.tif 000008
【図８】
0004650618.tif 000009